(57)【要約】【課題】様々な種類の入力画像信号に対応可能な画像表示装置において、その操作性をより向上させる。【解決手段】画像入力部１と、操作部５と、画像投射部４と、入力状態判別部２１と、入力情報表示部２３とを備える画像表示装置１００を提供する。入力状態判別部２１は、複数の入力端子のそれぞれに対して、対応する主画像信号６が現在入力されているか否かを判別する。そして、入力情報表示部２３は、入力状態判別部２１の判別結果に基づいて、主画像信号６が現在入力されている入力端子の情報のみを選択候補情報として表示するＧＵＩ画像を作成する。さらに、入力情報表示部２３は、作成したＧＵＩ画像に対応する副画像信号を操作部５で選択された入力端子に入力される主画像信号６に重畳する。【選択図】  図１
2011040958.tif 000002
【特許請求の範囲】
【請求項１】
複数の入力端子を有する画像入力部と、
前記複数の入力端子から少なくとも一つの前記入力端子を選択する操作部と、
前記操作部で選択された前記入力端子に入力される主画像信号に対応する画像を外部に拡大投射する画像投射部と、
前記複数の入力端子のそれぞれに対して、対応する前記主画像信号が現在入力されているか否かを判別する入力状態判別部と、
前記入力状態判別部の判別結果に基づいて、前記主画像信号が現在入力されている前記入力端子の情報のみを選択候補情報として表示するグラフィカルユーザインターフェース画像を作成し、該グラフィカルユーザインターフェース画像に対応する副画像信号を、前記操作部で選択された前記入力端子に入力される前記主画像信号に重畳する入力情報表示部と
を備える画像表示装置。
【請求項２】
さらに、前記入力端子を介して接続される外部機器と通信して、該外部機器に関する情報を取得する情報取得部を備え、
前記入力情報表示部が、前記情報取得部で取得した前記外部機器に関する情報を前記グラフィカルユーザインターフェース画像に加入する
請求項１に記載の画像表示装置。
【請求項３】
前記情報取得部に接続される入力端子がＨＤＭＩ規格の入力端子であり、前記情報取得部がＣＥＣ規格に準拠した手法により前記外部機器に関する情報を取得する
請求項２に記載の画像表示装置。
【請求項４】
前記複数の入力端子が、互いに種類の異なる複数のアナログ信号用の入力端子を含み、
前記入力状態判別部は、前記アナログ信号用の各入力端子に入力される前記主画像信号のＨＶ同期周波数、同期信号の種類及び同期信号の極性に基づいて、前記アナログ信号用の各入力端子に対応する前記主画像信号が現在入力されているか否かを判別する
請求項１に記載の画像表示装置。
【請求項５】
前記複数の入力端子が、ＨＤＭＩ規格の入力端子を含み、
前記入力状態判別部は、前記ＨＤＭＩ規格の入力端子においてホットプラグディテクト機能により得られる電圧信号に基づいて、前記ＨＤＭＩ規格の入力端子に前記主画像信号が現在入力されているか否かを判別する
請求項１に記載の画像表示装置。
【請求項６】
複数の入力端子のそれぞれに対して、対応する主画像信号が現在入力されているか否かを判別して、前記主画像信号の入力状況を検出するステップと、
前記検出した前記主画像信号の入力状況に基づいて、前記主画像信号が現在入力されている前記入力端子の情報のみを選択候補情報として表示するグラフィカルユーザインターフェース画像を作成し、該グラフィカルユーザインターフェース画像に対応する副画像信号を、選択された主画像に対応する主画像信号に重畳するステップと、
前記副画像信号が重畳された前記主画像信号に対応する画像を外部に拡大投射して表示するステップと
を含む画像表示方法。
【発明の詳細な説明】
【技術分野】
【０００１】
本発明は、画像表示装置及び画像表示方法に関し、より詳細には、複数の入力端子のそれぞれに入力された画像信号を切替えて所望の画像を表示する画像表示装置及び画像表示装置に関する。
【背景技術】
【０００２】
近年、家庭内での映画鑑賞や会議でのプレゼンテーション等において、例えばプロジェクタ等の画像表示装置を用いる機会が増えている。このような画像表示装置では、接続するＡＶ（Audio Visual）機器や情報機器等の多様化に対応するために、様々な種類の入力端子を複数備える。そして、ユーザは、これらの入力端子を例えばリモコン等の操作手段により切替え及び選択して所望の画像を外部の例えばスクリーン等に表示する。
【０００３】
そこで、従来、上述のような画像表示装置では、入力端子（投射画像）の切替え時及び選択時の操作性（利便性）をより向上させるために、様々な技術が提案されている（例えば、特許文献１及び２参照）。
【０００４】
特許文献１には、入力信号の名称表示に加えて入力端子をグラフィック表示させるＯＳＤ（On Screen Display）回路部を設け、そのグラフィック表示を用いて入力信号の切替えを行う技術が提案されている。
【０００５】
特許文献２には、入力信号の有無等の信号状態を表示手段で示す技術が提案されている。具体的には、特許文献２では、映像源に接続されている端子と、映像源に接続されていない端子とを異なる表示形態にすることにより、入力信号の有無等の信号状態を示す技術が提案されている。
【先行技術文献】
【特許文献】
【０００６】
【特許文献１】特開２００７−２１２６１８号公報
【特許文献２】特開２００７−２１２７６７号公報
【発明の概要】
【発明が解決しようとする課題】
【０００７】
上述のように、従来、例えばプロジェクタ等の画像表示装置では、その操作性を向上させるために、入力端子及びその接続状態の表示手法に対して種々の技術が提案されている。しかしながら、操作性の向上という観点において、上記技術だけで十分とは言い切れず、さらなる操作性の向上が望まれている。
【０００８】
本発明は上記状況に鑑みなされたものであり、本発明の目的は、様々な種類の入力画像信号に対応可能な画像表示装置において、その操作性をより向上させることである。
【課題を解決するための手段】
【０００９】
上記課題を解決するために、本発明の画像表示装置は、画像入力部と、操作部と、画像投射部と、入力状態判別部と、入力情報表示部とを備える構成とし、各部の構成及び機能を次のようにする。画像入力部は、複数の入力端子を有する。操作部は、複数の入力端子から少なくとも一つの入力端子を選択する。画像投射部は、操作部で選択された入力端子に入力される主画像信号に対応する画像を外部に拡大投射する。入力状態判定部は、複数の入力端子のそれぞれに対して、対応する主画像信号が現在入力されているか否かを判別する。そして、入力情報表示部は、入力状態判別部の判別結果に基づいて、主画像信号が現在入力されている入力端子の情報のみを選択候補情報として表示するグラフィカルユーザインターフェース画像を作成する。さらに、入力情報表示部は、作成したグラフィカルユーザインターフェース画像に対応する副画像信号を、操作部で選択された入力端子に入力される主画像信号に重畳する。
【００１０】
また、本発明の画像表示方法は、次の手順で行うものとする。まず、複数の入力端子のそれぞれに対して、対応する主画像信号が現在入力されているか否かを判別して、主画像信号の入力状況を検出する。次いで、検出した主画像信号の入力状況に基づいて、主画像信号が現在入力されている入力端子の情報のみを選択候補情報として表示するグラフィカルユーザインターフェース画像を作成する。次いで、作成したグラフィカルユーザインターフェース画像に対応する副画像信号を、選択された主画像に対応する主画像信号に重畳する。そして、副画像信号が重畳された主画像信号に対応する画像を外部に拡大投射して表示する。
【００１１】
なお、本明細書でいう「画像」は、動画像だけでなく静止画像も含む意味である。
【００１２】
上述のように、本発明では、ユーザの選択候補情報として入力端子の情報を表示するグラフィカルユーザインターフェース画像を主画像に重畳して表示する際、その選択候補情報として主画像信号が現在入力されている入力端子の情報のみを表示する。それゆえ、本発明では、画像表示装置に現在どのような外部機器が接続されているかを、ユーザがより容易に認識することができる。
【００１３】
また、本発明では、画像信号が現在入力されていない入力端子の不要な情報は、グラフィカルユーザインターフェース画像に表示されない。それゆえ、グラフィカルユーザインターフェース画像中の入力端子の選択候補数を必要最小限にすることができ、所望の入力端子への切替え及び選択をより迅速に行うことができる。
【発明の効果】
【００１４】
上述のように、本発明では、画像表示装置に現在どのような外部機器が接続されているかをより容易に認識することができ、所望の入力端子への切替え及び選択をより迅速に行うことができる。したがって、本発明によれば、様々な種類の入力画像信号に対応可能な画像表示装置において、その操作性をより向上させることができる。
【図面の簡単な説明】
【００１５】
【図１】図１は、本発明の第１の実施形態に係る画像表示装置の概略ブロック構成図である。
【図２】図２は、第１の実施形態の画像表示装置における入力端子の概略構成例を示す図である。
【図３】図３は、第１の実施形態の画像表示装置における入力パレットの表示動作の手順を示すフローチャートである。
【図４】図４は、第１の実施形態の画像表示装置における主画像及び入力パレットの表示例である。
【図５】図５は、第１の実施形態の画像表示装置における入力パレットの更新動作の手順を示すフローチャートである。
【図６】図６（ａ）及び（ｂ）は、第１の実施形態の画像表示装置における入力パレットの表示例である。
【図７】図７は、本発明の第２の実施形態に係る画像表示装置の概略ブロック構成図である。
【図８】図８は、第２の実施形態の画像表示装置で入力パレットに表示する外部機器の名称等の情報の更新動作を示すフローチャートである。
【図９】図９は、第２の実施形態における外部機器の第１の接続例を示す図である。
【図１０】図１０は、第１の接続例における入力パレットの表示例である。
【図１１】図１１は、第２の実施形態における外部機器の第２の接続例を示す図である。
【図１２】図１２は、第２の接続例における入力パレットの一表示例である。
【図１３】図１３は、第２の接続例における入力パレットの別の表示例である。
【図１４】図１４は、第２の接続例における入力パレットの別の表示例である。
【発明を実施するための形態】
【００１６】
以下に、本発明の実施形態に係る画像表示装置の構成例を、図面を参照しながら以下の順で説明する。ただし、以下に示す例では、画像表示装置としてプロジェクタを例に挙げ説明するが、本発明はこれに限定されるものではない。
１．第１の実施形態：画像表示装置の基本構成例
２．第２の実施形態：ＣＥＣ（Consumer Electronics Control）機能を備える画像表示装置の構成例
【００１７】
＜１．第１の実施形態＞
［画像表示装置の構成］
図１に、本発明の第１の実施形態に係る画像表示装置（プロジェクタ）のブロック構成を示す。本実施形態の画像表示装置１００は、画像入力部１と、信号処理部２と、パネル出力部３と、画像投射部４と、操作部５とを備える。画像入力部１、信号処理部２、パネル出力部３及び画像投射部４は、画像信号６（主画像信号）の入力側からこの順で電気的に接続される。また、操作部５は、信号処理部２内の後述する制御部２２に接続される。
【００１８】
なお、ここでは説明を簡略化するため、図１中の画像入力部１及び信号処理部２には、画像信号６の入力状況の判別処理及び表示処理に必要な構成部のみを示し、画像信号６の例えば画像調節等の処理ラインの構成は省略する。なお、画像入力部１及び信号処理部２における画像信号６の入力状況の判別処理及び表示処理は、画像信号６の例えば画像調節等の処理のバックグラウンドで行われる。また、本実施形態において、画像信号６の処理ライン上の構成は、従来のプロジェクタの構成と同様にすることができる。
【００１９】
画像入力部１は、入力端子部１１と、端子切替部１４と、周波数分離回路１５とを有する。
【００２０】
図２に、入力端子部１１の構成例を示す。本実施形態の入力端子部１１は、複数のアナログ信号用の入力端子から構成されるアナログ入力端子部１２と、複数のデジタル信号用の入力端子から構成されるデジタル入力端子部１３とを備える。なお、図２には、説明を簡略化するため、入力端子を全て２重丸印で示すが、実際には、各入力端子は、それぞれ対応する規格に適合した構成（例えば形状、ピン数等）を有する。
【００２１】
本実施形態では、図２に示すように、アナログ入力端子部１２を種類の異なる４つのアナログ信号用の入力端子で構成する。具体的には、アナログ入力端子部１２は、コンポジット映像信号（ビデオ信号）用の入力端子１２ａ（以下、Ｖｉｄｅｏ端子と記す）を備え、ビデオテープレコーダ等の外部機器は、Ｖｉｄｅｏ端子１２ａに接続される。また、アナログ入力端子部１２は、Ｓ（Separate）−ビデオ信号用の入力端子１２ｂ（以下、Ｓ−Ｖｉｄｅｏ端子と記す）を備え、Ｓ映像信号を出力するビデオテープレコーダ等の外部機器は、Ｓ−Ｖｉｄｅｏ端子１２ｂに接続される。また、アナログ入力端子部１２は、Ｄ−ｓｕｂ（D-subminiature）端子１２ｃを備え、パーソナルコンピュータやデジタルテレビ等の外部機器は、Ｄ−ｓｕｂ端子１２ｃに接続される。さらに、アナログ入力端子部１２は、コンポーネント・ビデオ信号用の入力端子１２ｄ（以下、Ｃｏｍｐｏｎｅｎｔ端子と記す）を備え、コンポーネント・ビデオ信号を出力するビデオテープレコーダ等の外部機器は、Ｃｏｍｐｏｎｅｎｔ端子１２ｄに接続される。また、各入力端子１２ａ〜１２ｄはそれぞれ、端子切替部１４の入力端子に接続される。
【００２２】
なお、アナログ入力端子部１２の入力端子群の構成は、図２に示す例に限定されず、用途等に応じて任意に構成することができる。例えば、上記４つの入力端子１２ａ〜１２ｄのうち少なくとも一つを備える構成にしてもよいし、同じ種類の入力端子を複数備えていてもよい。また、図２に示す種類以外のアナログ信号用入力端子を備えていてもよい。
【００２３】
また、本実施形態では、図２に示すように、デジタル入力端子部１３を２つのＨＤＭＩ（High-Definition Multimedia Interface）規格のデジタル信号用の入力端子１３ａ及び１３ｂ（以下、それぞれ第１及び第２ＨＤＭＩ端子と記す）で構成する。ＨＤＭＩ規格のデジタル信号を出力する例えばＤＶＤ（Digital Versatile Disc）レコーダやＢＤ（Blu-ray Disc：登録商標）レコーダ等の外部機器は、第１ＨＤＭＩ端子１３ａまたは第２ＨＤＭＩ端子１３ｂに接続される。
【００２４】
なお、デジタル入力端子部１３の入力端子群の構成は、図２に示す例に限定されず、用途等に応じて任意に構成することができる。例えば、デジタル入力端子部１３が１つのＨＤＭＩ端子で構成されていてもよいし、３端子以上のＨＤＭＩ端子を備えていてもよい。また、ＨＤＭＩ端子以外のデジタル信号用入力端子を備えていてもよい。
【００２５】
また、第１ＨＤＭＩ端子１３ａ及び第２ＨＤＭＩ端子１３ｂは、信号処理部２内の後述するオートインプットサーチ部２１に接続される。そして、デジタル入力端子部１３は、ホットプラグディテクト（Hot Plug Detect）機能により得られる各ＨＤＭＩ端子の印加電圧（５Ｖ）信号（以下、ＨＰＤ信号という）を、オートインプットサーチ部２１に出力する。
【００２６】
端子切替部１４は、例えばスイッチ等の選択手段から構成され、アナログ入力端子部１２の入力端子群から、所望の入力端子を選択する。そして、端子切替部１４の出力端子は周波数分離回路１５の入力端子に接続される。なお、端子切替部１４は、画像信号６の入力状況を判別するために用いられる切替部であり、投射する主画像を切替えるための切替部は画像信号６の処理ライン上に別途設けられる。
【００２７】
周波数分離回路１５は、端子切替部１４で選択された入力端子を介して入力される画像信号６の、例えば、ＨＶ（Horizontal Vertical）同期周波数、同期信号の種類及び同期信号の極性等のパラメータを検出する。これらの検出パラメータは、入力される画像信号６の種類によって異なる。そして、周波数分離回路１５は、検出したパラメータに対応する識別信号を信号処理部２内の後述するオートインプットサーチ部２１に出力する。
【００２８】
また、図１には示さないが、画像入力部１は、従来のプロジェクタと同様に、画像信号６の処理ラインに、例えば、入力されたビデオ信号のクロマフォーマットを変換するクロマ変換部や、ＨＤＭＩ信号を受信するＨＤＭＩレシーバなどを備える。
【００２９】
信号処理部２は、制御部２２と、オンスクリーンディスプレイ部２３（入力情報表示部）とを備える。
【００３０】
制御部２２は、例えばＣＰＵ（Central Processing Unit）等の演算制御装置で構成され、画像表示装置１００の各部の処理及び動作を制御する。例えば、画像入力部１内の端子切替部１４における入力端子の切替え動作も制御部２２により制御される。
【００３１】
また、制御部２２は、画像入力部１への画像信号６の入力状況（外部機器の接続状況）を判別するオートインプットサーチ部２１（入力状態判別部）を有する。このオートインプットサーチ部２１の機能は次の通りである。ただし、本実施形態では、オートインプットサーチ部２１の下記機能を停止することもできる。
【００３２】
オートインプットサーチ部２１は、画像入力部１から出力されるＨＶ同期周波数、同期信号の種類及び極性等のパラメータに対応する識別信号、並びに、ＨＰＤ信号に基づいて、画像信号６が現在入力されている入力端子を判別する。また、オートインプットサーチ部２１は、メモリ（不図示）を有しており、前回判別時の画像信号６の入力状況に関する情報を一時的にそのメモリに記憶する。また、オートインプットサーチ部２１は、現在の画像信号６の入力状況に関する情報と、前回判別時の画像信号の入力状況に関する情報とを比較して、入力状況の情報の更新が必要か否かを判定する。そして、入力状況の情報の更新が必要である場合には、オートインプットサーチ部２１は、画像信号６の入力状況に関する情報を更新し、その更新情報に対応する信号をオンスクリーンディスプレイ部２３に出力する。
【００３３】
オンスクリーンディスプレイ部２３は、入力端子の情報（例えば入力端子の種類名等）をユーザの選択候補情報として表示するＧＵＩ（Graphical User Interface）画像（以下、入力パレットという）を生成（描画）する。そして、オンスクリーンディスプレイ部２３（以下、ＯＳＤ（On Screen Display）部という）は、生成した入力パレットに対応する画像信号（副画像信号）を、現在投射されている主画像に対応する画像信号（主画像信号）に重畳する。
【００３４】
この際、オートインプットサーチ部２１の上記機能がＯＮの場合には、ＯＳＤ部２３は、オートインプットサーチ部２１から出力される情報に基づいて、画像信号６が現在入力されている入力端子の情報のみを選択候補情報として入力パレットに表示する。一方、オートインプットサーチ部２１の上記機能がＯＦＦの場合には、ＯＳＤ部２３は、全ての入力端子の情報を入力パレットに表示する。
【００３５】
また、図１には示さないが、信号処理部２は、従来のプロジェクタと同様に、画像信号６の処理ラインに、画像信号６に対して所定の処理を施す機能を備える。例えば、信号処理部２は、インターレース画像をプログレッシブ画像に変化するＩＰ（Interlace Progressive）変換部、画像寸法を変更する画像サイズ変換部、画質を調節する画像調節部等を備える。
【００３６】
パネル出力部３は、信号処理部２から出力された画像信号６に対して所定の画像処理を行い、処理後の画像信号６を画像投射部４に出力する。パネル出力部３は、従来のプロジェクタのそれと同様に構成することができ、例えば、ガンマ補正部３１、ユニフォミティ補正部３２及びパネルドライブ部３３等を備える。ガンマ補正部３１は、入力された画像信号６のガンマ値を、画像投射部４内の後述する表示パネル４２のガンマ特性に適合するように補正する。ユニフォミティ補正部３２は、表示パネル４２の画面上での表示ムラを低減する。また、パネルドライブ部３３は、画像投射部４内の後述する表示パネル４２を駆動制御する。
【００３７】
画像投射部４は、パネル出力部３から出力された画像信号６に基づいて、光源から射出された光束を光学的に処理して画像光を形成し、その画像光を外部の例えばスクリーン等に拡大投射する。画像投射部４は、従来のプロジェクタのそれと同様に構成することができ、例えば、光源ランプ４１、表示パネル４２、投射光学系４３等を備える。
【００３８】
光源ランプ４１は、例えば、超高圧水銀ランプや、メタルハライドランプ及びキセノンランプなどの放電発光型の光源ランプで構成することができる。また、光源ランプ４１として、例えば、発光ダイオード、レーザダイオード、有機ＥＬ（Electro Luminescence）素子、シリコン発光素子等の固体発光素子を用いてもよい。
【００３９】
表示パネル４２は、例えば透過型のＬＣＤ（Liquid Crystal Display）パネル等で構成することができる。このような表示パネル４２では、パネルドライブ部３３からの駆動信号に基づいて、液晶セル（不図示）に封入された液晶分子の配列を変化させることにより、光源ランプ４１からの出射光を液晶セル単位で透過または遮断する。この結果、パネルドライブ部３３からの駆動信号に対応する画像光が表示パネル４２から投射光学系４３に射出される。
【００４０】
なお、表示パネル４２として、任意の方式の液晶パネルを用いることができる。例えば、反射型の液晶表示パネル、ＬＣＯＳ（Liquid Crystal On Silicon）パネル等を用いることができる。また、表示パネル４２として、例えば、駆動回路内蔵型の液晶パネル、駆動回路を外付けするタイプの液晶パネル等を用いことができる。さらに、表示パネル４２として、例えば、単純マトリクス方式、ＴＦＤ（Thin Film Diode）アクティブマトリクス方式、パッシブマトリクス方式、旋光モード方式、復屈折モード方式等の液晶パネルを用いることもできる。
【００４１】
投射光学系４３は、表示パネル４２から射出された画像光を外部の例えばスクリーン等に向けて拡大投射する。なお、投射光学系４３は、従来のプロジェクタで用いられる投射光学系と同様のものを用いることができる。
【００４２】
操作部５は、例えばボタン及びキー等を備えるリモートコントローラや、画像表示装置１００本体に設けられた操作パネルの例えばボタン及びキー等により構成することができる。操作部５では、例えば、画像表示装置１００のＯＮ／ＯＦＦ操作、投影画像の画質調整操作、音量調整操作、入力パレットの表示操作、入力端子の切替え及び選択操作等の画像表示装置１００のあらゆる操作を行うことができる。なお、操作部５は、信号処理部２内の制御部２２に接続されており、ユーザが操作部５で所定の操作を行うと、その操作に対応する操作信号が制御部２２に出力され、所定の操作が実施される。
【００４３】
［入力パレットの表示及び更新動作］
次に、本実施形態の画像表示装置１００における画像信号６の入力状況に関する情報を表示する入力パレットの表示及び更新動作について説明する。なお、以下に説明する処理は、主画像の処理ラインのバックグラウンドで行われる。
【００４４】
最初に、本実施形態の画像表示装置１００における入力パレットの表示動作を、図１〜３を参照しながら説明する。なお、図３は、入力パレットの表示動作の手順を示すフローチャートである。ただし、ここでは、オートインプットサーチ部２１の機能がＯＮ状態である場合の動作について説明する。
【００４５】
まず、ユーザが、例えば操作部５の所定キー（例えば後述する「ＩＮＰＵＴ」キー等）を用いて、投射する主画像の切替メニュー（入力パレット）を表示する旨の操作を行う（ステップＳ１）。これにより、操作部５は、その操作に対応する操作信号を信号処理部２内の制御部２２に出力する。そして、制御部２２は、入力された操作信号に基づいて、オートインプットサーチ部２１を動作させる。
【００４６】
次いで、オートインプットサーチ部２１は、デジタル入力端子部１３から出力されるＨＰＤ信号の有無、または、アナログ入力端子部１２から出力される画像信号６の識別信号を検出して画像信号６が入力されている入力端子を判別する（ステップＳ２）。次いで、ＯＳＤ部２３は、オートインプットサーチ部２１での判別結果に基づいて、入力パレットを生成して、その入力パレットに対応する信号を現在投射されている主画像に対応する画像信号６に重畳する（ステップＳ３）。
【００４７】
そして、画像表示装置１００は、入力パレットを重畳した主画像を例えば外部のスクリーン上に投射して、主画像上に入力パレットを表示する（ステップＳ４）。ただし、この際、主画像上に表示された入力パレットには、画像信号６が現在入力されている入力端子の情報のみが選択候補情報として示される。本実施形態では、上述のようにして、画像信号の入力状況を判別し、入力パレットを主画像上に表示する。
【００４８】
図４に、外部のスクリーン等に主画像及び入力パレットを投射した際の一表示例を示す。図４に示す例では、主画像５０の一部に入力パレット５１が表示され、入力パレット５１には、画像信号６が現在入力されている入力端子の端子名が記載された選択ブロックが列挙される。なお、図４に示す例では、入力パレット５１を主画像５０内の左上角部付近に表示する例を説明したが、本発明はこれに限定されず、入力パレット５１の表示位置は任意に設定することができる。
【００４９】
また、図４に示す例において、入力パレット５１内の「Ｖｉｄｅｏ」と表示されたブロック５２ａはＶｉｄｅｏ端子１２ａの選択ブロックであり、「Ｓ−Ｖｉｄｅｏ」と表示されたブロック５２ｂはＳ−Ｖｉｄｅｏ端子１２ｂの選択ブロックである。また、「Ｄ−ｓｕｂ」と表示されたブロック５２ｃはＤ−ｓｕｂ端子１２ｃの選択ブロックであり、「Ｃｏｍｐｏｎｅｎｔ」と表示されたブロック５２ｄはＣｏｍｐｏｎｅｎｔ端子１２ｄの選択ブロックである。そして、「ＨＤＭＩ  １」と表示されたブロック５３ａは第１ＨＤＭＩ端子１３ａの選択ブロックであり、「ＨＤＭＩ  ２」と表示されたブロック５３ｂは第２ＨＤＭＩ端子１３ｂの選択ブロックである。
【００５０】
また、図４に示す入力パレット５１内の下端の「Ｓｅｌ」の欄に表示されている「ＩＮＰＵＴ」は、操作部５で入力パレット５１を主画像上に表示する際の操作キーに対応し、「↑」及び「↓」は、操作部５で選択ブロックを切り替える際の選択キーに対応する。また、入力パレット５１内の下端の「Ｓｅｔ」の欄に表示されている十字状の記号は、操作部５の決定ボタンに対応する。
【００５１】
さらに、図４に示す入力パレット５１では、現在選択されている入力端子の選択ブロックの色及び選択ブロック内の文字の色を、選択されていない選択ブロックのそれらに対して反転させて表示する。すなわち、図４に示す例では、現在、全ての入力端子に外部機器から画像信号６が入力されており、そのうち、第１ＨＤＭＩ端子１３ａに入力されている画像が主画像５０として投射されている。
【００５２】
なお、入力パレット５１は、操作部５と連動しており、ユーザの操作部５の選択キーによる操作に応じて、入力パレット５１内で選択表示される選択ブロック（図４に示す例では色が反転する選択ブロック）が切り替る。また、本実施形態では、入力パレット５１内の選択ブロックを切り替える度に、主画像５０も選択された入力端子の入力画像に切り替わる。
【００５３】
次に、入力パレット５１の更新動作を、図１、２、４及び５を参照しながら説明する。なお、図５は、入力パレット５１の更新動作の手順を示すフローチャートである。
【００５４】
まず、図４に示すように、入力パレット５１が表示された状態で、制御部２２は、所定の入力端子を選択して画像信号６が入力されているか否かを判別する（ステップＳ１１）。この際、選択された入力端子がアナログ入力端子部１２内の入力端子である場合には、オートインプットサーチ部２１は、アナログ入力端子部１２から出力される画像信号６の識別信号を検出して選択された入力端子に画像信号６が入力されているか否かを判別する。また、選択された入力端子がデジタル入力端子部１３内の入力端子である場合には、オートインプットサーチ部２１は、デジタル入力端子部１３から出力されるＨＰＤ信号の有無を検出して選択された入力端子に画像信号６が入力されているか否かを判別する。
【００５５】
ただし、ステップＳ１１において、選択した入力端子がアナログ入力端子部１２内の入力端子である場合には、制御部２２は、選択した入力端子と周波数分離回路１５とが接続されるように、画像入力部１内の端子切替部１４を切替え制御する。
【００５６】
次いで、オートインプットサーチ部２１は、選択された入力端子における前回判別時の入力状況の情報と、今回得た入力状況の情報とを比較して、入力パレット５１の表示を更新するか否かを判定する（ステップＳ１２）。
【００５７】
この際、オートインプットサーチ部２１は、選択された入力端子における前回判別時の入力状況の情報と、今回得た入力状況の情報とが同じであれば、更新の必要なしと判定する。また、オートインプットサーチ部２１は、選択された入力端子における前回判別時の入力状況の情報と、今回得た入力状況の情報とが異なる場合には、更新の必要有りと判定する。
【００５８】
ここで、入力パレット５１を更新する必要がない場合、ステップＳ１２はＮｏ判定となり、オートインプットサーチ部２１は、ＯＳＤ部２３に更新情報を出力せず、制御部２２は、入力状況をサーチする入力端子を変更する（ステップＳ１５）。その後は、上述したステップＳ１１及びＳ１２の処理を繰り返す。
【００５９】
一方、入力パレット５１を更新する必要がある場合、ステップＳ１２はＹｅｓ判定となり、オートインプットサーチ部２１は、選択された入力端子における入力状況の変更（更新）情報をＯＳＤ部２３に通知する（ステップＳ１３）。具体的には、選択された入力端子において、前回の判別時には画像信号６が入力されていたが、現在、画像信号６が途絶えている場合、オートインプットサーチ部２１は、その入力端子の情報を入力パレット５１から削除する旨の信号をＯＳＤ部２３に出力する。逆に、前回の判別時には画像信号６が入力されていなかったが、現在、画像信号６が入力されている場合、オートインプットサーチ部２１は、選択された入力端子の情報を入力パレット５１に表示する旨の信号をＯＳＤ部２３に出力する。
【００６０】
次いで、ＯＳＤ部２３は、オートインプットサーチ部２１から出力された更新情報に基づいて、入力パレット５１を更新（再描画）する（ステップＳ１４）。具体的には、オートインプットサーチ部２１から選択された入力端子の情報を入力パレット５１から削除する旨の信号が入力された場合には、ＯＳＤ部２３は、その入力端子の選択ブロックを削除した入力パレット５１を再描画する。一方、オートインプットサーチ部２１から選択された入力端子の情報を入力パレット５１に表示する旨の信号が入力された場合には、ＯＳＤ部２３は、その入力端子の選択ブロックを加入した入力パレット５１を再描画する。
【００６１】
その後、制御部２２は、入力状況をサーチする入力端子を変更して（ステップＳ１５）、上記ステップＳ１１〜Ｓ１４の動作を繰り返す。なお、入力端子のサーチ順序は任意に設定することができる。本実施形態では、上述のようにして、各入力端子における画像信号の入力状況を判別し、入力パレット５１の表示を更新する。なお、上述した入力パレット５１の更新動作は、入力パレット５１の表示中は常時繰り返して行う。これにより、リアルタイムで且つ自動的に入力パレット５１の更新を行うことができる。
【００６２】
なお、本実施形態では、入力パレットの更新を入力パレットの表示中に行う例を説明したが、本発明はこれに限定されない。入力パレットを表示していない間にも、バックグラウンドで常時行ってもよい。この場合、入力パレットを最初に表示する際の時間をより短縮することができる。
【００６３】
図６（ａ）及び（ｂ）に、入力パレット５１の更新時の表示例を示す。図６（ａ）は、更新前の入力パレットの表示例であり、図６（ｂ）は、更新後の入力パレットの表示例である。なお、ここでは、更新前の画像信号６の入力状況が図４に示す例の状況である場合を考える。すなわち、更新前（図６（ａ））の入力状況が、全ての入力端子に外部機器から画像信号６が入力されており、そのうち、第１ＨＤＭＩ端子１３ａに入力されている画像が主画像５０として投射されている場合を考える。
【００６４】
ここで、いま、図６（ａ）に示す状態において、例えば、第１ＨＤＭＩ端子１３ａ以外の入力端子に接続されている外部機器を同時にそれらの入力端子から外す場合を考える。この場合、ＯＳＤ部２３は、第１ＨＤＭＩ端子１３ａ以外の入力端子の選択ブロック５２ａ〜５２ｄ及び５３ｂを削除した入力パレットを再描画する。それゆえ、この場合、図６（ｂ）に示すように、第１ＨＤＭＩ端子１３ａの選択ブロック５３ａのみを表示した入力パレット５５が主画像５０に重畳されて表示される。
【００６５】
また、図６（ａ）に示す状態において、例えば、第１ＨＤＭＩ端子１３ａ以外の入力端子に接続されている外部機器を順次各入力端子から外した場合、外部機器を一つ外す度に、対応する選択ブロックが一つ削除された入力パレットが再描画され表示される。そして、最終的には、図６（ｂ）に示すように、第１ＨＤＭＩ端子１３ａの選択ブロック５３ａだけが残った入力パレット５５が表示される。
【００６６】
さらに、本実施形態では、図６（ｂ）に示すように、画像信号６が入力されている入力端子が減った場合には、減った入力端子の数に応じて、入力パレット全体サイズも小さくする。逆に、画像信号６が入力されている入力端子が増えた場合には、その増えた入力端子の数に応じて、入力パレット全体サイズを大きくする。例えば、図６（ｂ）に示す入力状況において、その後、全ての入力端子に外部機器が接続され、画像信号６が入力された場合には、入力パレットは、図６（ａ）に示すような表示形態に再描画され、入力パレットのサイズが大きくなる。
【００６７】
すなわち、本実施形態では、画像信号６が現在入力されている入力端子の数に応じて、入力パレット全体のサイズも適宜変更される。この処理は、オートインプットサーチ部２１から入力された更新情報に基づいて、ＯＳＤ部２３により行われる。
【００６８】
上述のように、本実施形態の画像表示装置１００では、入力パレットに、画像信号が現在入力されている入力端子の情報のみをユーザの選択候補情報として表示することができる。また、本実施形態では、表示される入力パレット（画像信号の入力状況）をリアルタイムで自動更新することができる。それゆえ、ユーザは、現在、鑑賞可能な主画像の情報を容易にリアルタイムで認識することができる。
【００６９】
また、本実施形態では、入力パレット内の入力端子の選択候補数を最小限に抑えることができるので、ユーザはより迅速に且つより確実に所望の主画像を選択することが可能になる。また、入力パレット内の入力端子の選択候補数を最小限に抑えることにより、次のような効果も得られる。例えば、ユーザが入力端子の切替えをトグル操作で行い、勢い余って目的の入力端子をスキップしてしまった場合でも、目的の入力端子に再度切替えるまでの時間をより短縮することができる。
【００７０】
上述のように、本実施形態の画像表示装置１００によれば、その操作性をより向上させることができ、操作時にユーザが感じるストレスを軽減することができる。
【００７１】
なお、特定の入力端子を多用するユーザにとって、従来のように全ての入力端子の情報が表示された場合には、不要な情報が多くなるので、現在、鑑賞可能な主画像の情報を認識することがより困難になる。しかしながら、本実施形態の画像表示装置１００では、画像信号が現在入力されている入力端子の情報のみを入力パレットに表示できるので、特定の入力端子を多用するユーザであっても、鑑賞可能な主画像の情報を容易にリアルタイムで認識することができる。
【００７２】
また、近年、家電等のデジタル化の普及に伴い、デジタル入力端子部１３の入力端子を用いる頻度が増大している。今後、この傾向はさらに加速し、入力端子の使用頻度に偏りが生じることが予測される。このような状況において、従来のように全ての入力端子の情報が表示された場合には、ユーザにとって使用しない入力端子の情報（不要な情報）が多くなるので、現在、鑑賞可能な主画像の情報を認識することがより困難になる。しかしながら、本実施形態の画像表示装置１００では、画像信号が現在入力されている入力端子の情報のみを入力パレットに表示できるので、上記状況においても、現在、鑑賞可能な主画像の情報を容易にリアルタイムで認識することができる。
【００７３】
＜２．第２の実施形態＞
第２の実施形態では、ＣＥＣ機能を備える画像表示装置（プロジェクタ）の構成例について説明する。なお、ＣＥＣ機能とは、ＨＤＭＩケーブルのＣＥＣ線を用いて、接続された複数のデジタル機器間をパス構成で接続し、互いに制御できる機能である。
【００７４】
［画像表示装置の構成］
図７に、本発明の第２の実施形態に係る画像表示装置の概略ブロック構成を示す。なお、図７において、第１の実施形態の画像表示装置（図１）と同じ構成には、同じ符号で示す。
【００７５】
本実施形態の画像表示装置２００は、画像入力部２０１と、信号処理部２０２と、パネル出力部３と、画像投射部４と、操作部５とを備える。画像入力部２０１、信号処理部２０２、パネル出力部３及び画像投射部４は、画像信号６の入力側からこの順で電気的に接続される。また、操作部５は、信号処理部２０２内の後述する制御部２０４に接続される。
【００７６】
なお、本実施形態では、画像入力部２０１及び信号処理部２０２以外の構成は第１の実施形態と同様である。それゆえ、ここでは、画像入力部２０１及び信号処理部２０２以外の構成についての説明は省略する。
【００７７】
また、ここでは説明を簡略化するため、図７中の画像入力部２０１及び信号処理部２０２には、画像信号６の入力状況の判定処理及び表示処理に必要な構成部を示し、画像信号６の例えば画像調節等の処理ラインの構成は省略する。なお、画像信号６の処理ラインの構成は、第１の実施形態と同様に、従来のプロジェクタの構成と同様にすることができる。
【００７８】
画像入力部２０１は、第１の実施形態と同様に、入力端子部１１と、端子切替部１４と、周波数分離回路１５とを有する。
【００７９】
入力端子部１１は、第１の実施形態（図２）と同様に、アナログ入力端子部１２及びデジタル入力端子部１３で構成される。そして、本実施形態では、デジタル入力端子部１３を、信号処理部２０２内の後述するＣＥＣ部２０５と電気的に接続する。デジタル入力端子部１３と後述するＣＥＣ部２０５と電気的に接続したこと以外の画像入力部２０１の構成は、第１の実施形態と同様とする。また、端子切替部１４及び周波数分離回路１５の構成は、第１の実施形態と同様である。
【００８０】
信号処理部２０２は、ＯＳＤ部２０３と、制御部２０４とを備える。
【００８１】
制御部２０４は、第１の実施形態と同様に、例えばＣＰＵ等の演算制御装置で構成され、画像表示装置２００の各部の処理及び動作を制御する。また、制御部２０４は、オートインプットサーチ部２１と、ＯＳＤ部２０３に接続されたＣＥＣ部２０５（情報取得部）とを有する。なお、オートインプットサーチ部２１は、第１の実施形態と同様の構成であるので、ここでは、その説明を省略する。
【００８２】
ＣＥＣ部２０５は、デジタル入力端子部１３の第１ＨＤＭＩ端子１３ａ及び／又は第２ＨＤＭＩ端子１３ｂに接続された外部機器と、ＨＤＭＩケーブルのＣＥＣ線を用いて通信を行い、その外部機器のプロパティや例えば機器名称等の詳細情報を取得する。そして、ＣＥＣ部２０５は、取得した情報をデコードし、そのデコードした情報をＯＳＤ部２０３に出力する。
【００８３】
ＯＳＤ部２０３は、オートインプットサーチ部２１及びＣＥＣ部２０５からそれぞれ出力される画像信号６の入力状況に関する情報及びデジタル入力端子部１３に接続された外部機器の例えば名称等の情報に基づいて、入力パレットの生成及び更新を行う。そして、ＯＳＤ部２０３は、生成した入力パレットに対応する画像信号（副画像信号）を主画像の画像信号６（主画像信号）に重畳して、その重畳した画像信号をパネル出力部３に出力する。
【００８４】
なお、本実施形態においても、オートインプットサーチ部２１の機能はＯＮ／ＯＦＦ切替が可能である。そして、オートインプットサーチ部２１の機能がＯＮの場合には、ＯＳＤ部２０３は、第１の実施形態と同様に、画像信号６が現在入力されている入力端子に関する情報のみを選択候補情報として入力パレットに表示する。一方、オートインプットサーチ部２１の機能がＯＦＦの場合には、ＯＳＤ部２０３は、全ての入力端子に関する情報を入力パレットに表示する。
【００８５】
［入力パレットの表示及び更新動作］
次に、本実施形態の画像表示装置２００における入力パレットの表示及び更新動作を説明する。
【００８６】
まず、本実施形態の画像表示装置２００における入力パレットの表示動作を説明する。本実施形態において、入力パレットの表示動作の基本的な手順は、第１の実施形態（図３）と同様である。ただし、本実施形態では、入力パレットには画像信号６が入力されている入力端子の情報だけでなく、デジタル入力端子部１３の入力端子に接続された外部機器の例えば名称等の情報も表示する。なお、ここでは、外部機器の例えば名称等の情報を、対応するＨＤＭＩ端子の選択ブロック内に表示する例を説明する。ただし、外部機器の例えば名称等の情報の表示位置はこれに限定されず、任意の位置に表示することができる。
【００８７】
それゆえ、本実施形態では、信号処理部２０２は、図３中のステップＳ２において、画像信号６が入力されている入力端子の情報だけでなく、デジタル入力端子部１３の入力端子に接続された外部機器の例えば名称等の情報も検出する。それ以外の処理手順は第１の実施形態（図３）と同様である。なお、デジタル入力端子部１３の入力端子に接続された外部機器の例えば名称等の情報の取得及びその表示の具体的な手順は、後述する外部機器の情報の更新動作における手順と同様であるので、ここでは、その説明を省略する。
【００８８】
次に、本実施形態の画像表示装置２００における入力パレットの更新動作を説明する。本実施形態では、入力パレットにおいて、画像信号６が入力されている入力端子の情報、及び、デジタル入力端子部１３の入力端子に接続された外部機器の例えば名称等の情報を更新する。なお、本実施形態において、画像信号６が入力されている入力端子の情報の更新動作は、第１の実施形態（図５）と同様であるので、ここでは、その説明を省略する。
【００８９】
ここでは、デジタル入力端子部１３の入力端子に接続された外部機器の例えば名称等の情報の更新動作を、図８を参照しながら説明する。なお、図８は、デジタル入力端子部１３の入力端子に接続された外部機器の例えば名称等の情報の更新動作の手順を示すフローチャートである。
【００９０】
なお、図８に示す例では、デジタル入力端子部１３の入力端子に接続された外部機器の名称（以下、ＯＳＤ−Ｎａｍｅという）を入力パレットに表示する例を説明する。ただし、本発明はこれに限定されず、入力パレットに表示する外部機器の情報としては、ＣＥＣ機能で取得できる情報であれば任意の情報を用いることができる。そして、入力パレットに表示する外部機器の情報は、例えば用途等に応じて適宜設定される。
【００９１】
まず、ＣＥＣ部２０５は、デジタル入力端子部１３の第１ＨＤＭＩ端子１３ａ及び／又は第２ＨＤＭＩ端子１３ｂに接続されたＨＤＭＩケーブル内のＣＥＣ線を介して、外部機器にポーリングメッセージ信号を送信する（ステップＳ２１）。
【００９２】
次いで、ＣＥＣ部２０５は、ポーリングメッセージ信号に対する外部機器からの応答信号の有無を検出して、第１ＨＤＭＩ端子１３ａ及び／又は第２ＨＤＭＩ端子１３ｂに外部機器が接続されているか否かを判定する（ステップＳ２２）。
【００９３】
ここで、第１ＨＤＭＩ端子１３ａ及び第２ＨＤＭＩ端子１３ｂの両方に外部機器が接続されていない場合、ステップＳ２２はＮｏ判定となる。この場合、ＣＥＣ部２０５は、ＯＳＤ−Ｎａｍｅを未表示にする旨の指令信号と、ＯＳＤ−Ｎａｍｅを未表示にする入力端子の情報とをＯＳＤ部２０３に出力する（ステップＳ２３）。その後、ＯＳＤ部２０３は、ＣＥＣ部２０５から出力されるＯＳＤ−Ｎａｍｅの未表示情報に基づいて、入力パレット内のＯＳＤ−Ｎａｍｅの表示を更新（再描画）する（ステップＳ２８）。なお、この場合、第１ＨＤＭＩ端子１３ａ及び第２ＨＤＭＩ端子１３ｂの両方に外部機器が接続されていないので、表示パレットには、第１ＨＤＭＩ端子１３ａ及び第２ＨＤＭＩ端子１３ｂに対応する選択ブロック自体が表示されない。
【００９４】
一方、第１ＨＤＭＩ端子１３ａ及び第２ＨＤＭＩ端子１３ｂの少なくとも一方に外部機器が接続されている場合、ＣＥＣ部２０５には、ポーリングメッセージ信号に対する外部機器からの応答信号が入力されるので、ステップＳ２２はＹｅｓ判定となる。
【００９５】
この場合、ＣＥＣ部２０５は、第１ＨＤＭＩ端子１３ａ及び／又は第２ＨＤＭＩ端子１３ｂに接続されたＨＤＭＩケーブル内のＣＥＣ線を介して、外部機器にＯＳＤ−Ｎａｍｅのデータ信号の送信要求を行う（ステップＳ２４）。次いで、ＣＥＣ部２０５は、外部機器からＯＳＤ−Ｎａｍｅのデータ信号の返信があったか否かを判定する（ステップＳ２５）。
【００９６】
ここで、接続された外部機器がＯＳＤ−Ｎａｍｅのデータを所有していない場合には、ＯＳＤ−Ｎａｍｅのデータ信号の返信が無いので、ステップＳ２５はＮｏ判定となる。この場合、ＣＥＣ部２０５は、ＯＳＤ−Ｎａｍｅを未表示にする旨の指令信号と、ＯＳＤ−Ｎａｍｅを未表示にする入力端子の情報とをＯＳＤ部２０３に出力する（ステップＳ２３）。その後、ＯＳＤ部２０３は、ＣＥＣ部２０５から出力されるＯＳＤ−Ｎａｍｅの未表示情報に基づいて、入力パレット内のＯＳＤ−Ｎａｍｅの表示を更新する（ステップＳ２８）。なお、この場合、外部機器が接続されているＨＤＭＩ端子に対応する選択ブロックは入力パレット内に表示されるが、外部機器のＯＳＤ−Ｎａｍｅは表示されない。
【００９７】
一方、ＯＳＤ−Ｎａｍｅのデータ信号の返信がある場合には、ステップＳ２５はＹｅｓ判定となる。ただし、第１ＨＤＭＩ端子１３ａ及び第２ＨＤＭＩ端子１３ｂの両方に外部機器が接続されている場合、その少なくとも一方からＯＳＤ−Ｎａｍｅのデータ信号の返信があれば、ステップＳ２５はＹｅｓ判定となる。
【００９８】
ステップＳ２５がＹｅｓ判定の場合、ＣＥＣ部２０５は、受信したＯＳＤ−Ｎａｍｅのデータ信号をデコードする（ステップＳ２６）。次いで、ＣＥＣ部２０５は、デコードしたＯＳＤ−Ｎａｍｅ情報と、ＯＳＤ−Ｎａｍｅを表示する入力端子の情報とをＯＳＤ部２０３に出力する（ステップＳ２７）。
【００９９】
次いで、ＯＳＤ部２０３は、ＣＥＣ部２０５から出力されるＯＳＤ−Ｎａｍｅの表示情報に基づいて、入力パレット内のＯＳＤ−Ｎａｍｅの表示を更新する（ステップＳ２８）。なお、この場合、ＯＳＤ−Ｎａｍｅのデータ信号の返信があったＨＤＭＩ端子に対応する選択ブロック内に外部機器のＯＳＤ−Ｎａｍｅが表示される。
【０１００】
本実施形態では、上述のようにして、デジタル入力端子部１３に接続された外部機器の例えばＯＳＤ−Ｎａｍｅ等の情報を更新する。また、本実施形態では、ユーザの所定操作により入力パレットが最初に表示される際にも、図８に示す手順に従って、ＨＤＭＩ端子に接続された外部機器のＯＳＤ−Ｎａｍｅの情報を取得して表示する。
【０１０１】
なお、上述した外部機器の例えばＯＳＤ−Ｎａｍｅ等の情報の更新動作は、定期的に行われるポーリングメッセージの送信周期に合わせて行われる。なお、上述した外部機器の情報の更新動作は、入力パレットの表示中だけ行っても良いし、入力パレットの表示、未表示の状態に関係なく定期的に行ってもよい。
【０１０２】
［入力パレットの表示例］
図９及び１０に、本実施形態の画像表示装置２００における入力パレットの第１の表示例を示す。なお、図９は、第１ＨＤＭＩ端子１３ａ及び第２ＨＤＭＩ端子１３ｂと、種々の外部機器との第１の接続例を示す図であり、図１０は、図９に示す第１の接続例における入力パレットの表示例を示す図である。また、図１０に示す入力パレット３１０において、第１の実施形態の入力パレット５１（図４及び６）と同じ構成には、同じ符号で示す。
【０１０３】
第１の接続例では、図９に示すように、第１ＨＤＭＩ端子１３ａにＢＤ（登録商標）レコーダ３０１が接続され、第２ＨＤＭＩ端子１３ｂにＤＶＤレコーダ３０２が接続されている場合を考える。そして、ＢＤ（登録商標）レコーダ３０１及びＤＶＤレコーダ３０２のＯＳＤ−Ｎａｍｅがそれぞれ「ＢＤ（登録商標）」及び「ＤＶＤ」であるとする。なお、図９には示さないが、アナログ入力端子部１２の入力端子群には全て対応する外部機器が接続され、画像信号６が入力されているものとする。
【０１０４】
この場合、図１０に示すように、入力パレット３１０には、全ての入力端子に対応する選択ブロックが表示される。そして、入力パレット３１０内の第１ＨＤＭＩ端子１３ａの選択ブロック３１１には、入力端子の情報（「ＨＤＭＩ  １」）とともに、ＢＤ（登録商標）レコーダ３０１のＯＳＤ−Ｎａｍｅ「ＢＤ（登録商標）」が表示される。また、入力パレット３１０内の第２ＨＤＭＩ端子１３ｂの選択ブロック３１２には、入力端子の情報（「ＨＤＭＩ  ２」）とともに、ＤＶＤレコーダ３０２のＯＳＤ−Ｎａｍｅ「ＤＶＤ」が表示される。
【０１０５】
また、図１１及び１２に、本実施形態の画像表示装置２００における入力パレットの第２の表示例を示す。なお、図１１は、第１ＨＤＭＩ端子１３ａ及び第２ＨＤＭＩ端子１３ｂと、種々の外部機器との第２の接続例を示す図であり、図１２は、図１１に示す第２の接続例における入力パレットの表示例を示す図である。また、図１１に示す入力パレット３２０において、第１の実施形態の入力パレット５１（図４及び６）と同じ構成には、同じ符号で示す。
【０１０６】
第２の接続例では、図１１に示すように、第１ＨＤＭＩ端子１３ａには、アンプ３０３を介して、ＤＶＤプレーヤ３０４及びＢＤ（登録商標）レコーダ３０５が接続され、第２ＨＤＭＩ端子１３ｂにはＤＶＤレコーダ３０６が接続されている場合を考える。そして、アンプ３０３、ＤＶＤプレーヤ３０４、ＢＤ（登録商標）レコーダ３０５及びＤＶＤレコーダ３０６のＯＳＤ−Ｎａｍｅがそれぞれ「ＡＭＰ」、「ＤＶＤ−Ｐ」、「ＢＤ（登録商標）−Ｒ」及び「ＤＶＤ−Ｒ」であるとする。なお、図１１には示さないが、アナログ入力端子部１２の入力端子群には全て対応する外部機器が接続され、画像信号６が入力されているものとする。
【０１０７】
この場合、図１２に示すように、入力パレット３２０には、全ての入力端子に対応する選択ブロックが表示される。そして、第１ＨＤＭＩ端子１３ａ及び第２ＨＤＭＩ端子１３ｂに対応する選択ブロック３２１〜３２４には、入力端子の情報とともに、対応するＯＳＤ−Ｎａｍｅがそれぞれ表示される。
【０１０８】
また、図１２に示す表示例では、入力パレット３２０内に、第１ＨＤＭＩ端子１３ａに接続される外部機器が全て並列表示される。すなわち、図１２に示す表示例では、入力パレット３２０内には第１ＨＤＭＩ端子１３ａに関する選択ブロックは３つ表示される。具体的には、アンプ３０３（「ＡＭＰ」）の選択ブロック３２１、ＤＶＤプレーヤ３０４（「ＤＶＤ−Ｐ」）の選択ブロック３２２、及び、ＢＤ（登録商標）レコーダ３０５（「ＢＤ（登録商標）−Ｒ」）の選択ブロック３２３が個別に表示される。
【０１０９】
なお、第２の接続例（図１１）のように、第１ＨＤＭＩ端子１３ａに接続される外部機器が複数存在する場合、入力パレットの表示例は図１２の例に限定されない。第１ＨＤＭＩ端子１３ａの選択ブロックを一つにし、ユーザが第１ＨＤＭＩ端子１３ａの選択ブロックを選択した際に第１ＨＤＭＩ端子１３ａに接続されている外部機器のＯＳＤ−Ｎａｍｅをポップアップ表示するようにしてもよい。
【０１１０】
図１３及び１４に、その表示例を示す。なお、図１３は、ユーザが第１ＨＤＭＩ端子１３ａ以外の入力端子を選択している場合の入力パレット３３０の表示例であり、図１４は、ユーザが第１ＨＤＭＩ端子１３ａを選択している場合の入力パレット３３０の表示例である。
【０１１１】
ユーザが第１ＨＤＭＩ端子１３ａ以外の入力端子を選択している場合、第１ＨＤＭＩ端子１３ａの選択ブロック３３１には、複数の外部機器が接続されていることを示す三角状の表示ボタン３３１ａのみが表示される。そして、ユーザが操作部５を操作して第１ＨＤＭＩ端子１３ａを選択した場合には、第１ＨＤＭＩ端子１３ａに接続されている外部機器のＯＳＤ−Ｎａｍｅを表示したポップアップパレット３３３が表示される。なお、図１４に示す例では、ポップアップパレット３３３を、図１４に示す例のように、第１ＨＤＭＩ端子１３ａの選択ブロック３３１と繋がるように表示しているが、本発明はこれに限定されない。ポップアップパレット３３３の表示形態は、任意に設定することができる。
【０１１２】
上述のように、本実施形態の画像表示装置２００においても、第１の実施形態と同様に、入力パレットには、画像信号が現在入力されている入力端子の情報のみをユーザの選択候補情報として表示することができる。また、本実施形態では、第１の実施形態と同様に、表示される入力パレット（画像信号の入力状況）をリアルタイムで自動更新することができる。それゆえ、本実施形態では、第１の実施形態と同様の効果が得られる。
【０１１３】
さらに、本実施形態では、画像信号６が現在入力されている入力端子の情報だけでなく、デジタル入力端子部１３の入力端子に接続されている外部機器の例えば名称等の情報も入力パレットに表示することができる。それゆえ、ユーザは、現在、鑑賞可能な主画像の情報のみをリアルタイムで一層容易に認識することができる。
【０１１４】
なお、上記第２の実施形態では、デジタル入力端子部１３の入力端子に接続された外部機器に関する情報を取得する手法として、ＣＥＣ規格に準拠した手法を例に挙げを説明したが、本発明はこれに限定されない。接続された外部機器と通信して外部機器に関する情報を取得することができる手法であれば任意の手法を用いることができる。
【０１１５】
また、上記第１及び第２の実施形態では、入力端子の情報、または、入力端子の情報及び外部機器に関する情報を入力パレット内に並べて表示する例を示したが、本発明はこれに限定されず、任意の表示形態にすることができる。例えば、各入力端子に接続されている外部機器をアイコンで表示し、且つ、アイコン間を例えば線等で繋いでパス構造を表示してもよい。
【０１１６】
上記第１及び第２の実施形態では、ＨＤＭＩ入力端子における画像信号６の入力状況を、ＨＰＤ信号を用いて検出する例を説明したが、本発明はこれに限定されない。例えば、画像入力部１内のＨＤＭＩレシーバ（不図示）から出力される信号の同期信号の種類及び極性を判定して、ＨＤＭＩ入力端子における画像信号６の入力状況を判別してもよい。また、別の判別手法として、ＣＥＣ線を介して得られるポーリングメッセージの応答信号を検出してＨＤＭＩ入力端子における画像信号６の入力状況を判別することもできる。ただし、この場合、ポーリングメッセージの送信は定期的に行われるものであるので、入力状況をリアルタイムで更新する場合には、上記実施形態のように、ＨＰＤ信号やＨＤＭＩレシーバの出力信号を用いることが好ましい。
【０１１７】
上記第１及び第２の実施形態では、外部の例えばスクリーン等に１つの主画像を投射する画像表示装置の例を説明したが、本発明はこれに限定されない。複数の主画像を同時に表示可能な画像表示装置に対しても本発明は適用可能であり、同様の効果が得られる。
【０１１８】
さらに、上記第１及び第２の実施形態では、画像表示装置としてプロジェクタを例示したが、本発明はこれに限定されない。様々な種類の複数の入力画像から所望の画像を選択して外部にその画像を拡大投射する機能を有する装置であれば、任意の装置に適用可能であり、同様の効果が得られる。
【符号の説明】
【０１１９】
１，２０１…画像入力部、２，２０２…信号処理部、３…パネル出力部、４…画像投射部、５…操作部、６…画像信号、１１…入力端子部、１２…アナログ入力端子部、１３…デジタル入力端子部、１４…端子切替部、１５…周波数分離回路、２１…オートインプットサーチ部、２２，２０４…制御部、２３，２０３…オンスクリーンディスプレイ部（ＯＳＤ部）、５０…主画像、５１，５５，３１０，３２０，３３０…入力パレット、１００，２００…画像表示装置、２０５…ＣＥＣ部
【図１】
2011040958.tif 000003
【図２】
2011040958.tif 000004
【図３】
2011040958.tif 000005
【図４】
2011040958.tif 000006
【図５】
2011040958.tif 000007
【図６】
2011040958.tif 000008
【図７】
2011040958.tif 000009
【図８】
2011040958.tif 000010
【図９】
2011040958.tif 000011
【図１０】
2011040958.tif 000012
【図１１】
2011040958.tif 000013
【図１２】
2011040958.tif 000014
【図１３】
2011040958.tif 000015
【図１４】
2011040958.tif 000016